(57)【要約】  予め設定されている時定数Ｔａで、電力検出回路４により検波された無線信号に対して周波数制限をかける時定数回路５の他に、時定数Ｔａより大きな時定数Ｔｂで、その無線信号に対して周波数制限をかける時定数回路８を設け、演算部３が、信号入力端子１から入力される間欠動作信号の信号レベルがＨレベルである場合、あるいは、閾値処理回路６により無線信号のレベルが閾値Ｔｈより大きい旨の判定がなされた場合、起動を指示する制御信号を電力検出回路４、時定数回路５，８及び閾値処理回路６，９に出力する。
2013133069.tif 000002
【特許請求の範囲】
【請求項１】
無線信号の検波処理を実施する無線信号検波回路と、
予め設定されている時定数で、上記無線信号検波回路により検波された無線信号に対して周波数制限をかける第１の時定数回路と、
上記第１の時定数回路により周波数制限がかけられた無線信号のレベルが所定の閾値より大きいか否かを判定する第１のレベル判定回路と、
上記第１の時定数回路に設定されている時定数より大きな時定数で、上記無線信号検波回路により検波された無線信号に対して周波数制限をかける第２の時定数回路と、
上記第２の時定数回路により周波数制限がかけられた無線信号のレベルが所定の閾値より大きいか否かを判定する第２のレベル判定回路と、
起動を指示する間欠動作信号が入力された場合、あるいは、上記第１のレベル判定回路により無線信号のレベルが所定の閾値より大きい旨の判定がなされた場合、上記無線信号検波回路、上記第１及び第２の時定数回路、上記第１及び第２のレベル判定回路を起動する間欠動作制御回路と
を備えた起動信号生成装置。
【請求項２】
間欠動作制御回路は、起動を指示する間欠動作信号が入力された場合、あるいは、第１のレベル判定回路により無線信号のレベルが所定の閾値より大きい旨の判定がなされた場合、無線信号検波回路、第１の時定数回路及び上記第１のレベル判定回路を起動し、上記第１のレベル判定回路により無線信号のレベルが所定の閾値より大きい旨の判定がなされた場合、第２の時定数回路及び第２のレベル判定回路を起動することを特徴とする請求項１記載の起動信号生成装置。
【請求項３】
第２のレベル判定回路により無線信号のレベルが所定の閾値より大きい旨の判定がなされた場合、起動信号を出力する起動信号出力回路を備えたことを特徴とする請求項１記載の起動信号生成装置。
【請求項４】
第２の時定数回路に設定されている時定数より大きな時定数で、上記無線信号検波回路により検波された無線信号に対して周波数制限をかける第３の時定数回路と、
上記第３の時定数回路により周波数制限がかけられた無線信号のレベルが所定の閾値より大きいか否かを判定する第３のレベル判定回路とからなる信号処理回路が１以上設けられ、
後段の信号処理回路における第３の時定数回路は、前段の信号処理回路における第３の時定数回路に設定されている時定数より大きな時定数が設定されており、
後段の信号処理回路は、前段の信号処理回路における第３のレベル判定回路により無線信号のレベルが所定の閾値より大きい旨の判定がなされた場合に起動する
ことを特徴とする請求項１記載の起動信号生成装置。
【請求項５】
所定の周波数の無線信号だけを無線信号検波回路に与える信号選択回路を備えたことを特徴とする請求項１記載の起動信号生成装置。
【請求項６】
第２のレベル判定回路により無線信号のレベルが所定の閾値より大きい旨の判定がなされた場合、無線信号に含まれているパターンが所定のパターンと一致しているか否かを判定し、所定のパターンと一致していれば、起動信号を出力する起動信号出力回路を備えたことを特徴とする請求項１記載の起動信号生成装置。
【請求項７】
起動信号出力回路の判定結果にしたがって、第１及び第２のレベル判定回路により無線信号のレベルと比較される閾値を制御する閾値制御回路を備えたことを特徴とする請求項６記載の起動信号生成装置。
【請求項８】
閾値制御回路は、起動信号出力回路の判定結果が所定回数以上連続して、無線信号に含まれているパターンが所定のパターンと一致していない旨を示す場合、第１及び第２のレベル判定回路により無線信号のレベルと比較される閾値の絶対値を大きくすることを特徴とする請求項７記載の起動信号生成装置。
【発明の詳細な説明】
【技術分野】
【０００１】
この発明は、例えば、無線通信装置に搭載され、一定の周期で間欠動作を実施して、無線信号が存在している場合に限り、後段の通信回路等を起動することで、低消費電力化を図ることができる起動信号生成装置に関するものである。
【背景技術】
【０００２】
図１４は従来の起動信号生成装置を示す構成図である。
図１４の起動信号生成装置は、電力検出回路１０３、時定数回路１０４及び閾値処理回路１０５から構成されており、電力検出回路１０３、時定数回路１０４及び閾値処理回路１０５は、信号入力端子１０１から入力される間欠動作信号の信号レベルがＨレベルであるときだけ電源がＯＮ状態になり処理を開始する。
したがって、間欠動作信号の信号レベルがＬレベルであるときは停止状態になり、電力の消費が抑えられる。【０００３】
図１５は図１４の起動信号生成装置の動作タイミングを示すタイミングチャートである。
以下、図１５のタイミングチャートを参照しながら、図１４の起動信号生成装置の動作を説明する。
電力検出回路１０３は、信号入力端子１０１から入力される間欠動作信号の信号レベルがＬレベルであるときは停止状態であるが、その間欠動作信号の信号レベルがＨレベルになると、信号入力端子１０２から入力される無線信号の検波処理を開始する。【０００４】
時定数回路１０４についても、信号入力端子１０１から入力される間欠動作信号の信号レベルがＬレベルであるときは電力検出回路１０３と同様に停止状態であるが、その間欠動作信号の信号レベルがＨレベルになると処理を開始する。
即ち、時定数回路１０４は、間欠動作信号の信号レベルがＨレベルになると、図１５に示すように、予め設定されている時定数で、電力検出回路１０３により検波された無線信号に対して周波数制限をかけ、周波数制限をかけた無線信号を閾値処理回路１０５に出力する。【０００５】
ここで、時定数回路１０４に設定される時定数の大小によって、起動信号生成装置の応答速度や検出精度が決定される。
即ち、応答速度を速くするため（急伸な立ち上がり特性を得るため）には、小さな時定数を設定すればよいが、時定数を小さくすると、制限可能な周波数帯域が広くなるため、雑音帯域が増えるとともに、高調波成分の減衰量を十分に取れないため検出精度が劣化する。この結果、誤動作する確率が上昇する。
一方、時定数を大きくすると、雑音帯域が制限され、かつ、高調波成分を十分に落とすことが可能になるため、検出精度を高めることができるが、応答速度が遅くなる。また、間欠動作信号の信号レベルがＨレベルになる時間を長くとる必要があるため、電力検出回路１０３等の低消費電力化が阻害される。【０００６】
閾値処理回路１０５についても、信号入力端子１０１から入力される間欠動作信号の信号レベルがＬレベルであるときは電力検出回路１０３と同様に停止状態であるが、その間欠動作信号の信号レベルがＨレベルになると処理を開始する。
即ち、閾値処理回路１０５は、間欠動作信号の信号レベルがＨレベルになると、図１５に示すように、時定数回路１０４により周波数制限がかけられた無線信号のレベルと所定の閾値を比較して、その無線信号のレベルが所定の閾値より大きいか否かを判定する。
閾値処理回路１０５は、無線信号のレベルが所定の閾値より大きいと判定すると、後段の通信回路１０６を起動する。【０００７】
なお、上記の起動信号生成装置の他に、受信信号の信号レベルに応じて、回路の動作を制御することで、消費電力を削減している無線受信装置が以下の特許文献１に開示されているが、一定の周期で間欠動作を実施して、低消費電力化を図るものではない。このため、常に、受信信号の信号レベルを監視する必要があり、十分に消費電力を削減することができない。
【先行技術文献】
【特許文献】
【０００８】
【特許文献１】特開２００６−５０３３３号公報（段落番号［００１６］）
【発明の概要】
【発明が解決しようとする課題】
【０００９】
従来の起動信号生成装置は以上のように構成されているので、時定数回路１０４に設定される時定数の大小によって応答速度や検出精度が決定される。このとき、時定数を小さくすると、応答速度を速くすることができるが、検出精度が劣化してしまい、時定数を大きくすると、検出精度を高めることができるが、応答速度が遅くなってしまう課題があった。【００１０】
この発明は上記のような課題を解決するためになされたもので、応答速度の低速化や検出精度の劣化を招くことなく、低消費電力化を実現することができる起動信号生成装置を得ることを目的とする。
【課題を解決するための手段】
【００１１】
この発明に係る起動信号生成装置は、無線信号の検波処理を実施する無線信号検波回路と、予め設定されている時定数で、無線信号検波回路により検波された無線信号に対して周波数制限をかける第１の時定数回路と、第１の時定数回路により周波数制限がかけられた無線信号のレベルが所定の閾値より大きいか否かを判定する第１のレベル判定回路と、第１の時定数回路に設定されている時定数より大きな時定数で、無線信号検波回路により検波された無線信号に対して周波数制限をかける第２の時定数回路と、第２の時定数回路により周波数制限がかけられた無線信号のレベルが所定の閾値より大きいか否かを判定する第２のレベル判定回路とを設け、間欠動作制御回路が、起動を指示する間欠動作信号が入力された場合、あるいは、第１のレベル判定回路により無線信号のレベルが所定の閾値より大きい旨の判定がなされた場合、無線信号検波回路、第１及び第２の時定数回路、第１及び第２のレベル判定回路を起動するようにしたものである。
【発明の効果】
【００１２】
この発明によれば、予め設定されている時定数で、無線信号検波回路により検波された無線信号に対して周波数制限をかける第１の時定数回路の他に、第１の時定数回路に設定されている時定数より大きな時定数で、無線信号検波回路により検波された無線信号に対して周波数制限をかける第２の時定数回路を設け、間欠動作制御回路が、起動を指示する間欠動作信号が入力された場合、あるいは、第１のレベル判定回路により無線信号のレベルが所定の閾値より大きい旨の判定がなされた場合、無線信号検波回路、第１及び第２の時定数回路、第１及び第２のレベル判定回路を起動するように構成したので、応答速度の低速化や検出精度の劣化を招くことなく、低消費電力化を実現することができる効果がある。
【図面の簡単な説明】
【００１３】
【図１】この発明の実施の形態１による起動信号生成装置を示す構成図である。
【図２】図１の起動信号生成装置における各回路の内部構成を示す回路図である。
【図３】図１の起動信号生成装置の動作タイミングを示すタイミングチャートである。
【図４】この発明の実施の形態２による起動信号生成装置を示す構成図である。
【図５】この発明の実施の形態３による起動信号生成装置を示す構成図である。
【図６】図５の起動信号生成装置における各回路の内部構成を示す回路図である。
【図７】図５の起動信号生成装置の動作タイミングを示すタイミングチャートである。
【図８】この発明の実施の形態４による起動信号生成装置を示す構成図である。
【図９】この発明の実施の形態５による起動信号生成装置を示す構成図である。
【図１０】この発明の実施の形態５による起動信号生成装置を示す構成図である。
【図１１】この発明の実施の形態６による起動信号生成装置を示す構成図である。
【図１２】この発明の実施の形態６による起動信号生成装置の処理内容を示すフローチャートである。
【図１３】閾値処理回路の感度を下げている期間中の閾値制御回路の処理内容を示すフローチャートである。
【図１４】従来の起動信号生成装置を示す構成図である。
【図１５】図１４の起動信号生成装置の動作タイミングを示すタイミングチャートである。
【発明を実施するための形態】
【００１４】
以下、この発明をより詳細に説明するために、この発明を実施するための形態について、添付の図面に従って説明する。
実施の形態１．
図１はこの発明の実施の形態１による起動信号生成装置を示す構成図であり、図２は図１の起動信号生成装置における各回路の内部構成を示す回路図である。
図１及び図２において、信号入力端子１は外部から起動を指示する間欠動作信号（信号レベルがＨレベルの信号）を入力する端子である。
信号入力端子２は外部から無線信号を入力する端子である。
【００１５】
演算部３は例えばＯＲ回路から構成されており、信号入力端子１から入力された間欠動作信号の信号レベルがＨレベルである場合、あるいは、演算部７の出力信号の信号レベルがＨレベルである場合、起動を指示する制御信号を電力検出回路４、時定数回路５，８及び閾値処理回路６，９に出力する。
電力検出回路４は例えば増幅器４ａ及びダイオード４ｂから構成されており、演算部３から起動を指示する制御信号が出力されていなければ、動作停止状態であるが、演算部３から起動を指示する制御信号を受けると、信号入力端子２から入力される無線信号の検波処理を開始する無線信号検波回路である。
【００１６】
第１の時定数回路である時定数回路５は例えばアクティブフィルタなどから構成されており、演算部３から起動を指示する制御信号が出力されていなければ、動作停止状態であるが、演算部３から起動を指示する制御信号を受けると処理を開始する。
即ち、時定数回路５は演算部３から起動を指示する制御信号を受けると、予め設定されている時定数Ｔａ（時定数Ｔａは間欠動作信号の信号レベルがＨレベルである時間内に、十分急伸に立ち上がるような小さい値に設定されている）で、電力検出回路４により検波された無線信号に対して周波数制限をかける回路である。
【００１７】
閾値処理回路６は例えばコンパレータ６ａなどから構成されており、演算部３から起動を指示する制御信号が出力されていなければ、動作停止状態であるが、演算部３から起動を指示する制御信号を受けると処理を開始する。
即ち、閾値処理回路６は演算部３から起動を指示する制御信号を受けると、時定数回路５により周波数制限がかけられた無線信号のレベルと閾値Ｔｈを比較して、その無線信号のレベルが閾値Ｔｈより大きいか否かを判定する第１のレベル判定回路である。
【００１８】
演算部７は例えばフリップフロップから構成されており、閾値処理回路６により無線信号のレベルが閾値Ｔｈより大きいと判定された場合、一定期間（あるいは、外部からリセット信号が入力されるまでの期間）、Ｈレベルの信号を演算部３に出力する。
なお、演算部３，７から間欠動作制御回路が構成されている。
【００１９】
第２の時定数回路である時定数回路８は例えばアクティブフィルタなどから構成されており、演算部３から起動を指示する制御信号が出力されていなければ、動作停止状態であるが、演算部３から起動を指示する制御信号を受けると処理を開始する。
即ち、時定数回路８は演算部３から起動を指示する制御信号を受けると、時定数回路５に設定されている時定数Ｔａより大きな時定数Ｔｂ（時定数Ｔｂは無線信号の周波数と比較して十分大きな値が設定されており、Ｔａ＜＜Ｔｂの関係がある）で、電力検出回路４により検波された無線信号に対して周波数制限をかける回路である。
【００２０】
閾値処理回路９は例えばコンパレータ９ａなどから構成されており、演算部３から起動を指示する制御信号が出力されていなければ、動作停止状態であるが、演算部３から起動を指示する制御信号を受けると処理を開始する。
即ち、閾値処理回路９は演算部３から起動を指示する制御信号を受けると、時定数回路８により周波数制限がかけられた無線信号のレベルと閾値Ｔｈを比較して、その無線信号のレベルが閾値Ｔｈより大きいか否かを判定する第２のレベル判定回路である。
【００２１】
演算部１０は例えばフリップフロップから構成されており、閾値処理回路９により無線信号のレベルが閾値Ｔｈより大きいと判定された場合、一定期間（あるいは、外部からリセット信号が入力されるまでの期間）、起動信号を通信回路１１に出力する起動信号出力回路である。
通信回路１１は演算部１０から起動信号を受けると、通信処理を開始する回路である。
図１の例では、起動信号生成装置により起動される回路が通信回路１１である例を示しているが、これは一例に過ぎず、通信回路１１以外の回路が起動されるようにしてもよい。
【００２２】
次に動作について説明する。
図３は図１の起動信号生成装置の動作タイミングを示すタイミングチャートである。以下、図３のタイミングチャートを参照しながら、図１の起動信号生成装置の動作を説明する。
演算部３は、信号入力端子１から入力される間欠動作信号の信号レベルがＬレベルからＨレベルに変化すると、起動を指示する制御信号を電力検出回路４、時定数回路５，８及び閾値処理回路６，９に出力する。
処理の開始当初では、演算部７の出力信号の信号レベルがＬレベルであるが、後述するように、演算部７の出力信号の信号レベルがＨレベルになった時点でも、起動を指示する制御信号を電力検出回路４、時定数回路５，８及び閾値処理回路６，９に出力する。
【００２３】
電力検出回路４は、演算部３から起動を指示する制御信号が出力されていなければ、動作停止状態であるが、演算部３から起動を指示する制御信号を受けると、信号入力端子２から入力される無線信号の検波処理を開始する。
時定数回路５についても、演算部３から起動を指示する制御信号が出力されていなければ、電力検出回路４と同様に停止状態であるが、演算部３から起動を指示する制御信号を受けると処理を開始する。
即ち、時定数回路５は、演算部３から起動を指示する制御信号を受けると、図３に示すように、予め設定されている時定数Ｔａで、電力検出回路４により検波された無線信号に対して周波数制限をかけ、周波数制限をかけた無線信号を閾値処理回路６に出力する。
【００２４】
ここで、予め設定されている時定数Ｔａは、上述したように、間欠動作信号の信号レベルがＨレベルである時間内に、十分急伸に立ち上がるような小さな値であるため、応答速度を速めることができる。また、間欠動作信号の信号レベルがＨレベルである時間が短くても、電力検出回路４により検波された無線信号に対して周波数制限をかけることができる。このため、従来のように、間欠動作信号の信号レベルがＨレベルである時間を長くする必要がないため、電力検出回路４等の低消費電力化を図ることができる。
【００２５】
閾値処理回路６についても、演算部３から起動を指示する制御信号が出力されていなければ、電力検出回路４と同様に停止状態であるが、演算部３から起動を指示する制御信号を受けると処理を開始する。
即ち、閾値処理回路６は、演算部３から起動を指示する制御信号を受けると、時定数回路５により周波数制限がかけられた無線信号のレベルと閾値Ｔｈを比較して、その無線信号のレベルが閾値Ｔｈより大きいか否かを判定する。
【００２６】
演算部７は、閾値処理回路６により無線信号のレベルが閾値Ｔｈより大きいと判定された場合、一定期間（あるいは、外部からリセット信号が入力されるまでの期間）、図３に示すように、Ｈレベルの信号を演算部３に出力する。この一定期間は、無線信号の周波数と比較して十分に長い時間である。
演算部３は、演算部７の出力信号の信号レベルがＨレベルになると、図３に示すように、Ｈレベルである期間中継続して、起動を指示する制御信号を電力検出回路４、時定数回路５，８及び閾値処理回路６，９に出力する。
【００２７】
時定数回路８についても、演算部３から起動を指示する制御信号が出力されていなければ、電力検出回路４と同様に停止状態であるが、演算部３から起動を指示する制御信号を受けると処理を開始する。
即ち、時定数回路８は、演算部３から起動を指示する制御信号を受けると、図３に示すように、予め設定されている時定数Ｔｂで、電力検出回路４により検波された無線信号に対して周波数制限をかけ、周波数制限をかけた無線信号を閾値処理回路９に出力する。
【００２８】
ここで、予め設定されている時定数Ｔｂは、上述したように、無線信号の周波数と比較して十分大きな値が設定されているため、応答時間が遅く、間欠動作信号の信号レベルがＨレベルである時間だけでは十分に立ち上がれない。
しかし、閾値処理回路６により無線信号のレベルが閾値Ｔｈより大きいと判定された場合、無線信号の周波数と比較して十分に長い時間、演算部３から起動を指示する制御信号が出力されるので、応答時間が遅くても、十分に立ち上がることができる。
このように、大きな値の時定数Ｔｂが設定されているため、応答時間が遅くなるが、収束後の値の変動値が小さくなるため、無線信号の検出精度が向上する。
【００２９】
閾値処理回路９についても、演算部３から起動を指示する制御信号が出力されていなければ、電力検出回路４と同様に停止状態であるが、演算部３から起動を指示する制御信号を受けると処理を開始する。
即ち、閾値処理回路９は、演算部３から起動を指示する制御信号を受けると、時定数回路８により周波数制限がかけられた無線信号のレベルと閾値Ｔｈを比較して、その無線信号のレベルが閾値Ｔｈより大きいか否かを判定する。
【００３０】
演算部１０は、閾値処理回路９により無線信号のレベルが閾値Ｔｈより大きいと判定された場合、一定期間（あるいは、外部からリセット信号が入力されるまでの期間）、起動信号（Ｈレベルの信号）を通信回路１１に出力する。
これにより、通信回路１１は起動する。
【００３１】
以上で明らかなように、この実施の形態１によれば、予め設定されている時定数Ｔａで、電力検出回路４により検波された無線信号に対して周波数制限をかける時定数回路５の他に、時定数回路５に設定されている時定数Ｔａより大きな時定数Ｔｂで、電力検出回路４により検波された無線信号に対して周波数制限をかける時定数回路８を設け、演算部３が、信号入力端子１から入力される間欠動作信号の信号レベルがＨレベルである場合、あるいは、閾値処理回路６により無線信号のレベルが閾値Ｔｈより大きい旨の判定がなされた場合、起動を指示する制御信号を電力検出回路４、時定数回路５，８及び閾値処理回路６，９に出力するように構成したので、応答速度の低速化や検出精度の劣化を招くことなく、低消費電力化を実現することができる効果を奏する。
【００３２】
即ち、通常の間欠動作時には，時定数Ｔａが小さく、高速に応答可能な時定数回路５が無線信号の存在を粗検出することで、間欠動作信号の信号レベルがＨレベルである時間を短くすることが可能になる。また、無線信号が存在するときは、時定数Ｔｂが大きい時定数回路８が高精度に無線信号を検出して通信回路１１を起動することができる。
【００３３】
実施の形態２．
上記実施の形態１では、時定数回路及び閾値処理回路が２個ずつ実装されているものを示したが、時定数回路及び閾値処理回路がＮ個（Ｎは３以上の整数）ずつ実装されていてもよい。
この実施の形態２では、Ｎ＝３の例を説明する。
【００３４】
図４はこの発明の実施の形態２による起動信号生成装置を示す構成図であり、図において、図１と同一符号は同一または相当部分を示すので説明を省略する。
第３の時定数回路である時定数回路２１は例えばアクティブフィルタなどから構成されており、演算部１０の出力信号の信号レベルがＬレベルであれば、動作停止状態であるが、演算部１０の出力信号の信号レベルがＨレベルになると処理を開始する。
即ち、時定数回路２１は演算部１０の出力信号の信号レベルがＨレベルになると、時定数回路８に設定されている時定数Ｔｂより大きな時定数Ｔｃ（Ｔｂ＜Ｔｃ）で、電力検出回路４により検波された無線信号に対して周波数制限をかける回路である。
【００３５】
閾値処理回路２２は例えばコンパレータなどから構成されており、演算部１０の出力信号の信号レベルがＬレベルであれば、動作停止状態であるが、演算部１０の出力信号の信号レベルがＨレベルになると処理を開始する。
即ち、閾値処理回路２２は演算部１０の出力信号の信号レベルがＨレベルになると、時定数回路２１により周波数制限がかけられた無線信号のレベルと閾値Ｔｈを比較して、その無線信号のレベルが閾値Ｔｈより大きいか否かを判定する第３のレベル判定回路である。
【００３６】
演算部２３は例えばフリップフロップから構成されており、閾値処理回路２２により無線信号のレベルが閾値Ｔｈより大きいと判定された場合、一定期間（あるいは、外部からリセット信号が入力されるまでの期間）、起動信号を通信回路１１に出力する起動信号出力回路である。
【００３７】
次に動作について説明する。
時定数回路２１、閾値処理回路２２及び演算部２３を設けている点以外は、上記実施の形態１と同様であるため、この実施の形態２では、時定数回路２１、閾値処理回路２２及び演算部２３の処理内容を説明する。
ただし、この実施の形態２では、演算部１０の出力信号は、通信回路１１ではなく、時定数回路２１及び閾値処理回路２２に与えられる。
【００３８】
時定数回路２１は、演算部１０からＨレベルの出力信号を受けなければ、電力検出回路４と同様に停止状態であるが、演算部１０からＨレベルの出力信号を受けると処理を開始する。
即ち、時定数回路２１は、演算部１０からＨレベルの出力信号を受けると、予め設定されている時定数Ｔｃで、電力検出回路４により検波された無線信号に対して周波数制限をかけ、周波数制限をかけた無線信号を閾値処理回路２２に出力する。
【００３９】
ここで、予め設定されている時定数Ｔｃは、時定数回路８に設定されている時定数Ｔｂより更に大きな値であるため、時定数回路８よりも更に収束後の値の変動値が小さくなるため、無線信号の検出精度が向上する。
【００４０】
閾値処理回路２２についても、演算部１０からＨレベルの出力信号を受けなければ、電力検出回路４と同様に停止状態であるが、演算部１０からＨレベルの出力信号を受けると処理を開始する。
即ち、閾値処理回路２２は、演算部１０からＨレベルの出力信号を受けると、時定数回路２１により周波数制限がかけられた無線信号のレベルと閾値Ｔｈを比較して、その無線信号のレベルが閾値Ｔｈより大きいか否かを判定する。
【００４１】
演算部２３は、閾値処理回路２２により無線信号のレベルが閾値Ｔｈより大きいと判定された場合、一定期間（あるいは、外部からリセット信号が入力されるまでの期間）、起動信号（Ｈレベルの信号）を通信回路１１に出力する。
これにより、通信回路１１は起動する。
【００４２】
以上で明らかなように、この実施の形態２によれば、演算部１０の出力信号の信号レベルがＨレベルになると、時定数回路８に設定されている時定数Ｔｂより大きな時定数Ｔｃ（Ｔｂ＜Ｔｃ）で、電力検出回路４により検波された無線信号に対して周波数制限をかける時定数回路２１と、演算部１０の出力信号の信号レベルがＨレベルになると、時定数回路２１により周波数制限がかけられた無線信号のレベルと閾値Ｔｈを比較して、その無線信号のレベルが閾値Ｔｈより大きいか否かを判定する閾値処理回路２２とを設け、演算部２３が、閾値処理回路２２により無線信号のレベルが閾値Ｔｈより大きいと判定された場合、起動信号を通信回路１１に出力するように構成したので、上記実施の形態１と同様の効果を奏するほかに、上記実施の形態１よりも検出精度を高めることができる効果を奏する。
【００４３】
なお、この実施の形態２では、Ｎ＝３の例を説明したが、Ｎ＞３の場合、時定数回路２１、閾値処理回路２２及び演算部２３からなる信号処理回路を（Ｎ−２）個直列に接続し（前段の信号処理回路における演算部２３の出力信号が、後段の信号処理回路における時定数回路２１及び閾値処理回路２２に与えられる）、後段の信号処理回路における時定数回路２１の時定数Ｔｃ’が、前段の信号処理回路における時定数回路２１に設定されている時定数Ｔｃより大きな値（Ｔｃ’＞Ｔｃ）に設定されているようにすればよい。
【００４４】
実施の形態３．
図５はこの発明の実施の形態３による起動信号生成装置を示す構成図であり、図６は図５の起動信号生成装置における各回路の内部構成を示す回路図である。
図５及び図６において、図１及び図２と同一符号は同一または相当部分を示すので説明を省略する。
演算部３１は例えばＯＲ回路から構成されており、信号入力端子１から入力された間欠動作信号の信号レベルがＨレベルである場合、あるいは、演算部３２の出力信号の信号レベルがＨレベルである場合、起動を指示する制御信号を電力検出回路４、時定数回路５及び閾値処理回路６に出力する。
【００４５】
演算部７は例えばフリップフロップから構成されており、閾値処理回路６により無線信号のレベルが閾値Ｔｈより大きいと判定された場合、一定期間（あるいは、外部からリセット信号が入力されるまでの期間）、Ｈレベルの信号を演算部３１、時定数回路８及び閾値処理回路９に出力する。
なお、演算部３１，３２から間欠動作制御回路が構成されている。
【００４６】
次に動作について説明する。
図７は図５の起動信号生成装置の動作タイミングを示すタイミングチャートである。以下、図７のタイミングチャートを参照しながら、図５の起動信号生成装置の動作を説明する。
演算部３１は、信号入力端子１から入力される間欠動作信号の信号レベルがＬレベルからＨレベルに変化すると、起動を指示する制御信号を電力検出回路４、時定数回路５及び閾値処理回路６に出力する。
処理の開始当初では、演算部３２の出力信号の信号レベルがＬレベルであるが、後述するように、演算部３２の出力信号の信号レベルがＨレベルになった時点でも、起動を指示する制御信号を電力検出回路４、時定数回路５及び閾値処理回路６に出力する。
【００４７】
電力検出回路４は、演算部３１から起動を指示する制御信号が出力されていなければ、動作停止状態であるが、演算部３１から起動を指示する制御信号を受けると、信号入力端子２から入力される無線信号の検波処理を開始する。
時定数回路５についても、演算部３１から起動を指示する制御信号が出力されていなければ、電力検出回路４と同様に停止状態であるが、演算部３１から起動を指示する制御信号を受けると処理を開始する。
即ち、時定数回路５は、演算部３１から起動を指示する制御信号を受けると、図７に示すように、予め設定されている時定数Ｔａで、電力検出回路４により検波された無線信号に対して周波数制限をかけ、周波数制限をかけた無線信号を閾値処理回路６に出力する。
【００４８】
ここで、予め設定されている時定数Ｔａは、間欠動作信号の信号レベルがＨレベルである時間内に、十分急伸に立ち上がるような小さな値であるため、応答速度を速めることができる。また、間欠動作信号の信号レベルがＨレベルである時間が短くても、電力検出回路４により検波された無線信号に対して周波数制限をかけることができる。このため、従来のように、間欠動作信号の信号レベルがＨレベルである時間を長くする必要がないため、電力検出回路４等の低消費電力化を図ることができる。
【００４９】
閾値処理回路６についても、演算部３１から起動を指示する制御信号が出力されていなければ、電力検出回路４と同様に停止状態であるが、演算部３１から起動を指示する制御信号を受けると処理を開始する。
即ち、閾値処理回路６は、演算部３１から起動を指示する制御信号を受けると、時定数回路５により周波数制限がかけられた無線信号のレベルと閾値Ｔｈを比較して、その無線信号のレベルが閾値Ｔｈより大きいか否かを判定する。
【００５０】
演算部３２は、閾値処理回路６により無線信号のレベルが閾値Ｔｈより大きいと判定された場合、図７に示すように、一定期間（あるいは、外部からリセット信号が入力されるまでの期間）、Ｈレベルの信号を演算部３１、時定数回路８及び閾値処理回路９に出力する。この一定期間は、無線信号の周波数と比較して十分に長い時間である。
【００５１】
時定数回路８は、演算部３２からＨレベルの信号（起動を指示する制御信号）を受けていなければ、電力検出回路４と同様に停止状態であるが、演算部３２からＨレベルの信号を受けると処理を開始する。
即ち、時定数回路８は、演算部３２からＨレベルの信号を受けると、図７に示すように、予め設定されている時定数Ｔｂで、電力検出回路４により検波された無線信号に対して周波数制限をかけ、周波数制限をかけた無線信号を閾値処理回路９に出力する。
【００５２】
なお、図１の時定数回路８は、信号入力端子１から入力される間欠動作信号の信号レベルがＬレベルからＨレベルに変化すると、演算部３から起動を指示する制御信号が出力されて処理を開始するが、図５の時定数回路８は、信号入力端子１から入力される間欠動作信号の信号レベルがＬレベルからＨレベルに変化しても、起動を指示する制御信号が与えられず、演算部３２からＨレベルの信号が出力されるまで、停止状態を維持する。このため、図５の時定数回路８は、図１の時定数回路８より消費電力を削減することができる。
【００５３】
ここで、予め設定されている時定数Ｔｂは、無線信号の周波数と比較して十分大きな値が設定されているため、応答時間が遅く、間欠動作信号の信号レベルがＨレベルである時間だけでは十分に立ち上がれない。
しかし、閾値処理回路６により無線信号のレベルが閾値Ｔｈより大きいと判定された場合、無線信号の周波数と比較して十分に長い時間、演算部３２からＨレベルの信号（起動を指示する制御信号）が出力されるので、応答時間が遅くても、十分に立ち上がることができる。
このように、大きな値の時定数Ｔｂが設定されているため、応答時間が遅くなるが、収束後の値の変動値が小さくなるため、無線信号の検出精度が向上する。
【００５４】
閾値処理回路９についても、演算部３２からＨレベルの信号（起動を指示する制御信号）を受けていなければ、電力検出回路４と同様に停止状態であるが、演算部３２からＨレベルの信号を受けると処理を開始する。
即ち、閾値処理回路９は、演算部３２からＨレベルの信号を受けると、時定数回路８により周波数制限がかけられた無線信号のレベルと閾値Ｔｈを比較して、その無線信号のレベルが閾値Ｔｈより大きいか否かを判定する。
【００５５】
なお、図１の閾値処理回路９は、信号入力端子１から入力される間欠動作信号の信号レベルがＬレベルからＨレベルに変化すると、演算部３から起動を指示する制御信号が出力されて処理を開始するが、図５の閾値処理回路９は、信号入力端子１から入力される間欠動作信号の信号レベルがＬレベルからＨレベルに変化しても、起動を指示する制御信号が与えられず、演算部３２からＨレベルの信号が出力されるまで、停止状態を維持する。このため、図５の閾値処理回路９は、図１の閾値処理回路９より消費電力を削減することができる。
【００５６】
演算部１０は、閾値処理回路９により無線信号のレベルが閾値Ｔｈより大きいと判定された場合、一定期間（あるいは、外部からリセット信号が入力されるまでの期間）、起動信号（Ｈレベルの信号）を通信回路１１に出力する。
これにより、通信回路１１は起動する。
【００５７】
以上で明らかなように、この実施の形態３によれば、予め設定されている時定数Ｔａで、電力検出回路４により検波された無線信号に対して周波数制限をかける時定数回路５の他に、時定数回路５に設定されている時定数Ｔａより大きな時定数Ｔｂで、電力検出回路４により検波された無線信号に対して周波数制限をかける時定数回路８を設け、演算部３１が、信号入力端子１から入力される間欠動作信号の信号レベルがＨレベルである場合、あるいは、閾値処理回路６により無線信号のレベルが閾値Ｔｈより大きい旨の判定がなされた場合、起動を指示する制御信号を電力検出回路４、時定数回路５及び閾値処理回路６に出力し、演算部３２が、閾値処理回路６により無線信号のレベルが閾値Ｔｈより大きい旨の判定がなされた場合、起動を指示する制御信号を時定数回路８及び閾値処理回路９に出力するように構成したので、応答速度の低速化や検出精度の劣化を招くことなく、低消費電力化を実現することができる効果を奏する。
【００５８】
即ち、通常の間欠動作時には，時定数Ｔａが小さく、高速に応答可能な時定数回路５が無線信号の存在を粗検出することで、間欠動作信号の信号レベルがＨレベルである時間を短くすることが可能になる。また、無線信号が存在するときは、時定数Ｔｂが大きい時定数回路８が高精度に無線信号を検出して通信回路１１を起動することができる。
また、信号入力端子１から入力される間欠動作信号の信号レベルがＬレベルからＨレベルに変化しても、起動を指示する制御信号が時定数回路８及び閾値処理回路９に与えられず、演算部３２からＨレベルの信号が出力されるまで、時定数回路８及び閾値処理回路９の停止状態が維持されるため、上記実施の形態１よりも、消費電力を削減することができる。
【００５９】
実施の形態４．
上記実施の形態３では、時定数回路及び閾値処理回路が２個ずつ実装されているものを示したが、時定数回路及び閾値処理回路がＮ個（Ｎは３以上の整数）ずつ実装されていてもよい。
この実施の形態４では、Ｎ＝３の例を説明する。
【００６０】
図８はこの発明の実施の形態４による起動信号生成装置を示す構成図であり、図において、図５と同一符号は同一または相当部分を示すので説明を省略する。
第３の時定数回路である時定数回路４１は例えばアクティブフィルタなどから構成されており、演算部１０の出力信号の信号レベルがＬレベルであれば、動作停止状態であるが、演算部１０の出力信号の信号レベルがＨレベルになると処理を開始する。
即ち、時定数回路４１は演算部１０の出力信号の信号レベルがＨレベルになると、時定数回路８に設定されている時定数Ｔｂより大きな時定数Ｔｃ（Ｔｂ＜Ｔｃ）で、電力検出回路４により検波された無線信号に対して周波数制限をかける回路である。
【００６１】
閾値処理回路４２は例えばコンパレータなどから構成されており、演算部１０の出力信号の信号レベルがＬレベルであれば、動作停止状態であるが、演算部１０の出力信号の信号レベルがＨレベルになると処理を開始する。
即ち、閾値処理回路４２は演算部１０の出力信号の信号レベルがＨレベルになると、時定数回路４１により周波数制限がかけられた無線信号のレベルと閾値Ｔｈを比較して、その無線信号のレベルが閾値Ｔｈより大きいか否かを判定する第３のレベル判定回路である。
【００６２】
演算部４３は例えばフリップフロップから構成されており、閾値処理回路４２により無線信号のレベルが閾値Ｔｈより大きいと判定された場合、一定期間（あるいは、外部からリセット信号が入力されるまでの期間）、起動信号を通信回路１１に出力する起動信号出力回路である。
【００６３】
次に動作について説明する。
時定数回路４１、閾値処理回路４２及び演算部４３を設けている点以外は、上記実施の形態３と同様であるため、この実施の形態４では、時定数回路４１、閾値処理回路４２及び演算部４３の処理内容を説明する。
ただし、この実施の形態４では、演算部１０の出力信号は、通信回路１１ではなく、時定数回路４１及び閾値処理回路４２に与えられる。
【００６４】
時定数回路４１は、演算部１０からＨレベルの出力信号を受けなければ、電力検出回路４と同様に停止状態であるが、演算部１０からＨレベルの出力信号を受けると処理を開始する。
即ち、時定数回路４１は、演算部１０からＨレベルの出力信号を受けると、予め設定されている時定数Ｔｃで、電力検出回路４により検波された無線信号に対して周波数制限をかけ、周波数制限をかけた無線信号を閾値処理回路４２に出力する。
【００６５】
ここで、予め設定されている時定数Ｔｃは、時定数回路８に設定されている時定数Ｔｂより更に大きな値であるため、時定数回路８よりも更に収束後の値の変動値が小さくなるため、無線信号の検出精度が向上する。
【００６６】
閾値処理回路４２についても、演算部１０からＨレベルの出力信号を受けなければ、電力検出回路４と同様に停止状態であるが、演算部１０からＨレベルの出力信号を受けると処理を開始する。
即ち、閾値処理回路４２は、演算部１０からＨレベルの出力信号を受けると、時定数回路４１により周波数制限がかけられた無線信号のレベルと閾値Ｔｈを比較して、その無線信号のレベルが閾値Ｔｈより大きいか否かを判定する。
【００６７】
演算部４３は、閾値処理回路４２により無線信号のレベルが閾値Ｔｈより大きいと判定された場合、一定期間（あるいは、外部からリセット信号が入力されるまでの期間）、起動信号（Ｈレベルの信号）を通信回路１１に出力する。
これにより、通信回路１１は起動する。
【００６８】
以上で明らかなように、この実施の形態４によれば、演算部１０の出力信号の信号レベルがＨレベルになると、時定数回路８に設定されている時定数Ｔｂより大きな時定数Ｔｃ（Ｔｂ＜Ｔｃ）で、電力検出回路４により検波された無線信号に対して周波数制限をかける時定数回路４１と、演算部１０の出力信号の信号レベルがＨレベルになると、時定数回路４１により周波数制限がかけられた無線信号のレベルと閾値Ｔｈを比較して、その無線信号のレベルが閾値Ｔｈより大きいか否かを判定する閾値処理回路４２とを設け、演算部４３が、閾値処理回路２２により無線信号のレベルが閾値Ｔｈより大きいと判定された場合、起動信号を通信回路１１に出力するように構成したので、上記実施の形態３と同様の効果を奏するほかに、上記実施の形態３よりも検出精度を高めることができる効果を奏する。
【００６９】
なお、この実施の形態４では、Ｎ＝３の例を説明したが、Ｎ＞３の場合、時定数回路４１、閾値処理回路４２及び演算部４３からなる信号処理回路を（Ｎ−２）個直列に接続し（前段の信号処理回路における演算部４３の出力信号が、後段の信号処理回路における時定数回路４１及び閾値処理回路４２に与えられる）、後段の信号処理回路における時定数回路４１の時定数Ｔｃ’が、前段の信号処理回路における時定数回路４１に設定されている時定数Ｔｃより大きな値（Ｔｃ’＞Ｔｃ）に設定されているようにすればよい。
【００７０】
実施の形態５．
上記実施の形態１〜４では、信号入力端子２から入力される無線信号が電力検出回路４に与えられるものを示したが、図９及び図１０に示すように、信号入力端子２から入力される無線信号のうち、所定の周波数の無線信号を抽出して、所定の周波数の無線信号だけを電力検出回路４に与える信号選択回路５０を備えるようにしてもよい。
信号選択回路５０は、例えば、アクティブフィルタやパッシブフィルタなどから構成することができ、信号選択回路５０を搭載することで、例えば、無線ＬＡＮの無線信号を検出して、通信回路１１を起動するなどの処理が可能になる。
【００７１】
実施の形態６．
図１１はこの発明の実施の形態６による起動信号生成装置を示す構成図であり、図において、図５と同一符号は同一または相当部分を示すので説明を省略する。
復調回路６１は閾値処理回路９により無線信号のレベルが閾値Ｔｈより大きいと判定されることで、演算部１０から起動信号が出力されると起動して、信号入力端子２から入力された無線信号の復調処理を開始し、その無線信号に含まれている信号パターンを出力する処理を実施する。
パターン検出回路６２は閾値処理回路９により無線信号のレベルが閾値Ｔｈより大きいと判定されることで、演算部１０から起動信号が出力されると起動して、復調回路６１から出力された信号パターンが所定のパターンと一致しているか否かを判定し、所定のパターンと一致していれば、起動信号を外部の通信回路１１に出力する処理を実施する。
なお、復調回路６１及びパターン検出回路６２から起動信号出力回路が構成されている。
【００７２】
閾値制御回路６３はパターン検出回路６２の判定結果にしたがって、閾値処理回路６，９により無線信号のレベルと比較される閾値Ｔｈを制御する処理を実施する。
即ち、閾値制御回路６３はパターン検出回路６２から所定のパターンと一致していない旨を示す判定結果を受けると、誤起動が発生しているものとして、その誤起動の回数をカウントし、そのカウント値が予め設定された回数Ｎを超えると、閾値処理回路６，９の感度を下げるために（例えば、感度を１ｄＢ下げる）、閾値処理回路６，９における閾値Ｔｈの絶対値を大きくする（例えば、電力検出回路４により検波された無線信号が正値であれば、閾値処理回路６，９の閾値Ｔｈを大きくし、電力検出回路４により検波された無線信号が負値であれば、閾値処理回路６，９の閾値Ｔｈを小さくする）。一方、パターン検出回路６２により所定のパターンと一致している旨を示す判定結果を受けると、そのカウント値をリセットする。
【００７３】
また、閾値制御回路６３は閾値処理回路６，９の感度を下げている期間中、演算部１０から起動信号（Ｈレベルの信号）を受けるまでの間に、信号入力端子１から入力された間欠動作信号の信号レベルがＬレベルからＨレベルに変化した回数を無起動回数としてカウントし、その無起動回数のカウント値が予め設定された回数Ｋを超えると、閾値処理回路６，９の感度を上げるために（例えば、感度を１ｄＢ上げる）、閾値処理回路６，９における閾値Ｔｈの絶対値を小さくする処理を実施する（例えば、電力検出回路４により検波された無線信号が正値であれば、閾値処理回路６，９の閾値Ｔｈを小さくし、電力検出回路４により検波された無線信号が負値であれば、閾値処理回路６，９の閾値Ｔｈを大きくする）。
【００７４】
次に動作について説明する。
図１２はこの発明の実施の形態６による起動信号生成装置の処理内容を示すフローチャートである。
また、図１３は閾値処理回路６，９の感度を下げている期間中の閾値制御回路６３処理内容を示すフローチャートである。
復調回路６１、パターン検出回路６２及び閾値制御回路６３を設けている点以外は、上記実施の形態１〜５と同様であるため、ここでは、主に、復調回路６１、パターン検出回路６２及び閾値制御回路６３の処理内容について説明する。
この実施の形態６では、復調回路６１、パターン検出回路６２及び閾値制御回路６３が図５の起動信号生成装置に適用されている例を説明するが、図１、図４、図８〜図１０の起動信号生成装置に適用されていてもよいことは言うまでもない。
【００７５】
閾値処理回路９は、演算部７から起動を指示する制御信号が出力されていなければ、電力検出回路４と同様に停止状態であるが、演算部７から起動を指示する制御信号を受けると処理を開始する（閾値処理回路９は間欠動作を行う）。
即ち、閾値処理回路９は、演算部３から起動を指示する制御信号を受けると、上記実施の形態１〜５と同様に、時定数回路８により周波数制限がかけられた無線信号のレベルと閾値Ｔｈを比較して、その無線信号のレベルが閾値Ｔｈより大きいか否かを判定する（図１２のステップＳＴ１）。
演算部１０は、閾値処理回路９により無線信号のレベルが閾値Ｔｈより大きいと判定された場合、一定期間（あるいは、外部からリセット信号が入力されるまでの期間）、起動信号（Ｈレベルの信号）を復調回路６１及びパターン検出回路６２に出力する（ステップＳＴ２）。
【００７６】
復調回路６１は、演算部１０から起動信号が出力されていなければ、停止状態であるが、演算部１０から起動信号が出力されると、信号入力端子２から入力された無線信号の復調処理を開始し、その無線信号に含まれている信号パターンをパターン検出回路６２に出力する（ステップＳＴ３）。
パターン検出回路６２は、演算部１０から起動信号が出力されていなければ、復調回路６１と同様に停止状態であるが、演算部１０から起動信号が出力されると、復調回路６１から出力された信号パターンが所定のパターンと一致しているか否かを判定する処理を開始する（ステップＳＴ４）。
パターン検出回路６２は、復調回路６１から出力された信号パターンが所定のパターンと一致していれば、起動信号を外部の通信回路１１に出力する（ステップＳＴ５）。
これにより、通信回路１１は起動する。
【００７７】
閾値制御回路６３は、パターン検出回路６２の判定結果を入力し、その判定結果にしたがって、閾値処理回路６，９により無線信号のレベルと比較される閾値Ｔｈを制御する処理を実施する。
以下、閾値制御回路６３の処理内容を具体的に説明する。
閾値制御回路６３は、誤起動回数（演算部１０から誤って起動信号が出力された回数）をカウントするためのカウンタＡと、無起動回数（所望の信号パターンを含む無線信号が入力されているのに、起動されていない回数）をカウントするためのカウンタＢを備えており、初期状態では、カウンタＡ，Ｂのカウント値ｎ，ｋは“０”であるものとする。
【００７８】
閾値制御回路６３は、パターン検出回路６２から所定のパターンと一致していない旨を示す判定結果を受けると、誤起動が発生しているものとして、カウンタＡのカウント値ｎを１だけインクリメントする（ステップＳＴ６）。
閾値制御回路６３は、カウンタＡのカウント値ｎと予め設定された回数Ｎを比較し、カウンタＡのカウント値ｎが回数Ｎを超えていれば（ステップＳＴ７）、閾値処理回路６，９の感度を下げて、演算部１０から誤って起動信号が出力される可能性を下げるために、閾値処理回路６，９における閾値Ｔｈの絶対値を大きくする（ステップＳＴ８）。
閾値処理回路６，９の感度としては、例えば、１ｄＢ下げることを想定しているが、１ｄＢに限るものではない。
なお、電力検出回路４により検波された無線信号の信号レベルが正値であれば、閾値処理回路６，９の閾値Ｔｈを大きくすることで、閾値処理回路６，９の感度を下げる。一方、電力検出回路４により検波された無線信号の信号レベルが負値であれば、閾値処理回路６，９の閾値Ｔｈを小さくすることで、閾値処理回路６，９の感度を下げる。
【００７９】
上記のように、閾値制御回路６３が閾値処理回路６，９の感度を下げると、カウンタＡのカウント値ｎを０リセットしてから（ステップＳＴ９）、ステップＳＴ１の処理に戻り、ステップＳＴ１〜ＳＴ９の処理が繰り返されるが、再度、カウンタＡのカウント値ｎが回数Ｎを超えると、閾値処理回路６，９の感度が更に下げられるように動作する。
一方、閾値制御回路６３が閾値処理回路６，９の感度を下げてから、パターン検出回路６２から所定のパターンと一致している旨を示す判定結果を受けると、カウンタＡのカウント値ｎを０リセットしてから、パターン検出回路６２が起動信号を通信回路１１に出力する（ステップＳＴ５）。
なお、カウンタＡのカウント値ｎが回数Ｎを超えていなければ（ステップＳＴ７）、閾値処理回路６，９の感度を下げることなく、ステップＳＴ１の処理に戻って、ステップＳＴ１〜ＳＴ９の処理が繰り返される。
【００８０】
閾値制御回路６３が閾値処理回路６，９の感度を下げることで、雑音が電力検出回路４に入力されても、演算部１０から起動信号が出力される可能性が低下する。
閾値処理回路６，９の感度を下げる処理は、雑音が電力検出回路４に入力されても、演算部１０から起動信号が出力されなくなるまで繰り返し行われるため、雑音による誤起動が抑制される。
ただし、閾値処理回路６，９の閾値Ｔｈの絶対値を必要以上に大きくして、閾値処理回路６，９の感度を下げ過ぎてしまうと、所望の信号パターンを含む無線信号が電力検出回路４に入力されても、演算部１０から起動信号が出力されなくなる可能性がある。
【００８１】
そこで、閾値制御回路６３は、閾値処理回路６，９の感度を下げると、演算部１０から起動信号（Ｈレベルの信号）を受けるまでの間に、信号入力端子１から入力された間欠動作信号の信号レベルがＬレベルからＨレベルに変化した回数を無起動回数としてカウントする。
即ち、閾値制御回路６３は、既に閾値処理回路６，９の感度を下げている場合、未だ演算部１０から起動信号（Ｈレベルの信号）を受けていなければ（図１３のステップＳＴ１１）、間欠動作信号の信号レベルがＬレベルからＨレベルに変化する毎に（ステップＳＴ１２）、カウンタＢのカウント値ｋを１だけインクリメントする（ステップＳＴ１３）。
【００８２】
所望の信号パターンを含む無線信号が電力検出回路４に入力された場合、閾値処理回路６，９の閾値Ｔｈが適正であれば、図３に示すように、信号入力端子１から入力された間欠動作信号の信号レベルがＬレベルからＨレベルに変化すると、時定数回路８の時定数Ｔｂに対応する時刻後に、演算部１０から起動信号（Ｈレベルの信号）が出力されるが、閾値処理回路６，９の閾値Ｔｈの絶対値が大き過ぎると、演算部１０から起動信号（Ｈレベルの信号）が出力されなくなる。
このため、閾値処理回路６，９の感度を下げた後、信号入力端子１から入力された間欠動作信号の信号レベルがＬレベルからＨレベルに変化しても、演算部１０から起動信号（Ｈレベルの信号）が出力されなければ、無起動が発生していると考えられるので、演算部１０から起動信号（Ｈレベルの信号）を受けるまでの間に、間欠動作信号の信号レベルがＬレベルからＨレベルに変化した回数を無起動回数としてカウントする。
【００８３】
閾値制御回路６３は、カウンタＢのカウント値ｋと予め設定された回数Ｋを比較し、カウンタＢのカウント値ｋが回数Ｋを超えていれば（ステップＳＴ１４）、閾値処理回路６，９の感度を上げて、無起動の発生を抑えるために、閾値処理回路６，９における閾値Ｔｈの絶対値を小さくする（ステップＳＴ１５）。
閾値処理回路６，９の感度としては、例えば、１ｄＢ上げることを想定しているが、１ｄＢに限るものではない。
なお、電力検出回路４により検波された無線信号が正値であれば、閾値処理回路６，９の閾値Ｔｈを小さくすることで、閾値処理回路６，９の感度を上げる。一方、電力検出回路４により検波された無線信号が負値であれば、閾値処理回路６，９の閾値Ｔｈを大きくすることで、閾値処理回路６，９の感度を上げる。
【００８４】
上記のように、閾値制御回路６３が閾値処理回路６，９の感度を上げると、カウンタＢのカウント値ｋを０リセットしてから（ステップＳＴ１６）、ステップＳＴ１１の処理に戻り、ステップＳＴ１１〜ＳＴ１６の処理が繰り返されるが、再度、カウンタＢのカウント値ｋが回数Ｋを超えると、閾値処理回路６，９の感度が更に上げられるように動作する。
なお、カウンタＢのカウント値ｋが回数Ｋを超えていなければ（ステップＳＴ１４）、閾値処理回路６，９の感度を上げることなく、ステップＳＴ１１の処理に戻って、ステップＳＴ１１〜ＳＴ１８の処理が繰り返される。
演算部１０から起動信号（Ｈレベルの信号）を受けると、図１２のステップＳＴ１に移行する。
【００８５】
以上で明らかなように、この実施の形態６によれば、閾値処理回路９により無線信号のレベルが所定の閾値Ｔｈより大きい旨の判定がなされた場合、無線信号に含まれているパターンが所定のパターンと一致しているか否かを判定し、所定のパターンと一致していれば、起動信号を通信回路１１に出力するように構成したので、所定のパターンと一致している場合に限り、通信回路１１を起動することができる効果を奏する。
【００８６】
また、この実施の形態６によれば、パターン検出回路６２の判定結果が所定回数以上連続して、無線信号に含まれているパターンが所定のパターンと一致していない旨を示す場合、閾値処理回路６，９により無線信号のレベルと比較される閾値Ｔｈの絶対値を大きくするように構成したので、雑音が入力されることによる誤起動の発生を抑制することができるようになり、その結果、更なる低消費電力化を実現することができる効果を奏する。
【００８７】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００８８】
この発明に係る起動信号生成装置は、無線信号が存在している場合に限り、後段の通信回路等を起動することで、低消費電力化を図る必要があるものに適している。
【符号の説明】
【００８９】
１，２  信号入力端子、３  演算部（間欠動作制御回路）、４  電力検出回路（無線信号検波回路）、４ａ  増幅器、４ｂ  ダイオード、５  時定数回路（第１の時定数回路）、６  閾値処理回路（第１のレベル判定回路）、６ａ  コンパレータ、７  演算部（間欠動作制御回路）、８  時定数回路（第２の時定数回路）、９  閾値処理回路（第２のレベル判定回路）、９ａ  コンパレータ、１０  演算部（起動信号出力回路）、１１  通信回路、２１  時定数回路（第３の時定数回路）、２２  閾値処理回路（第３のレベル判定回路）、２３  演算部（起動信号出力回路）、３１，３２  演算部（間欠動作制御回路）、４１  時定数回路（第３の時定数回路）、４２  閾値処理回路（第３のレベル判定回路）、４３  演算部（起動信号出力回路）、５０  信号選択回路、６１  復調回路（起動信号出力回路）、６２  パターン検出回路（起動信号出力回路）、６３  閾値制御回路、１０１，１０２  信号入力端子、１０３  電力検出回路、１０４  時定数回路、１０５  閾値処理回路、１０６  通信回路。
【図１】
2013133069.tif 000003
【図２】
2013133069.tif 000004
【図３】
2013133069.tif 000005
【図４】
2013133069.tif 000006
【図５】
2013133069.tif 000007
【図６】
2013133069.tif 000008
【図７】
2013133069.tif 000009
【図８】
2013133069.tif 000010
【図９】
2013133069.tif 000011
【図１０】
2013133069.tif 000012
【図１１】
2013133069.tif 000013
【図１２】
2013133069.tif 000014
【図１３】
2013133069.tif 000015
【図１４】
2013133069.tif 000016
【図１５】
2013133069.tif 000017
【手続補正書】
【提出日】平成26年9月25日(2014.9.25)
【手続補正１】
【補正対象書類名】特許請求の範囲
【補正対象項目名】全文
【補正方法】変更
【補正の内容】
【特許請求の範囲】
【請求項１】
無線信号の検波処理を実施する無線信号検波回路と、
予め設定されている時定数で、上記無線信号検波回路により検波された無線信号に対して周波数制限をかける第１の時定数回路と、
上記第１の時定数回路により周波数制限がかけられた無線信号のレベルが所定の閾値より大きいか否かを判定する第１のレベル判定回路と、
上記第１の時定数回路に設定されている時定数より大きな時定数で、上記無線信号検波回路により検波された無線信号に対して周波数制限をかける第２の時定数回路と、
上記第２の時定数回路により周波数制限がかけられた無線信号のレベルが所定の閾値より大きいか否かを判定する第２のレベル判定回路と、
起動を指示する間欠動作信号が入力された場合、あるいは、上記第１のレベル判定回路により無線信号のレベルが所定の閾値より大きい旨の判定がなされた場合、上記無線信号検波回路、上記第１及び第２の時定数回路、上記第１及び第２のレベル判定回路を起動する間欠動作制御回路と
を備えた起動信号生成装置。
【請求項２】
無線信号の検波処理を実施する無線信号検波回路と、
予め設定されている時定数で、上記無線信号検波回路により検波された無線信号に対して周波数制限をかける第１の時定数回路と、
上記第１の時定数回路により周波数制限がかけられた無線信号のレベルが所定の閾値より大きいか否かを判定する第１のレベル判定回路と、
上記第１の時定数回路に設定されている時定数より大きな時定数で、上記無線信号検波回路により検波された無線信号に対して周波数制限をかける第２の時定数回路と、
上記第２の時定数回路により周波数制限がかけられた無線信号のレベルが所定の閾値より大きいか否かを判定する第２のレベル判定回路と、
起動を指示する間欠動作信号が入力された場合、上記無線信号検波回路、上記第１の時定数回路及び上記第１のレベル判定回路を起動し、上記第１のレベル判定回路により無線信号のレベルが所定の閾値より大きい旨の判定がなされた場合、上記無線信号検波回路、上記第１の時定数回路、上記第１のレベル判定回路、上記第２の時定数回路及び上記第２のレベル判定回路を起動する間欠動作制御回路と
を備えた起動信号生成装置。
【請求項３】
上記第２のレベル判定回路により無線信号のレベルが所定の閾値より大きい旨の判定がなされた場合、起動信号を出力する起動信号出力回路を備えたことを特徴とする請求項１または請求項２記載の起動信号生成装置。
【請求項４】
上記第２の時定数回路に設定されている時定数より大きな時定数で、上記無線信号検波回路により検波された無線信号に対して周波数制限をかける第３の時定数回路と、
上記第３の時定数回路により周波数制限がかけられた無線信号のレベルが所定の閾値より大きいか否かを判定する第３のレベル判定回路とからなる信号処理回路が１以上設けられ、
後段の信号処理回路における第３の時定数回路は、前段の信号処理回路における第３の時定数回路に設定されている時定数より大きな時定数が設定されており、
後段の信号処理回路は、前段の信号処理回路における第３のレベル判定回路により無線信号のレベルが所定の閾値より大きい旨の判定がなされた場合に起動する
ことを特徴とする請求項１または請求項２記載の起動信号生成装置。
【請求項５】
所定の周波数の無線信号だけを上記無線信号検波回路に与える信号選択回路を備えたことを特徴とする請求項１または請求項２記載の起動信号生成装置。
【請求項６】
上記第２のレベル判定回路により無線信号のレベルが所定の閾値より大きい旨の判定がなされた場合、無線信号に含まれているパターンが所定のパターンと一致しているか否かを判定し、所定のパターンと一致していれば、起動信号を出力する起動信号出力回路を備えたことを特徴とする請求項１または請求項２記載の起動信号生成装置。
【請求項７】
上記起動信号出力回路の判定結果にしたがって、上記第１及び第２のレベル判定回路により無線信号のレベルと比較される閾値を制御する閾値制御回路を備えたことを特徴とする請求項６記載の起動信号生成装置。
【請求項８】
上記閾値制御回路は、上記起動信号出力回路の判定結果が所定回数以上連続して、無線信号に含まれているパターンが所定のパターンと一致していない旨を示す場合、上記第１及び第２のレベル判定回路により無線信号のレベルと比較される閾値の絶対値を大きくすることを特徴とする請求項７記載の起動信号生成装置。
【国際調査報告】
2013133069.tif 000018
2013133069.tif 000019